(57)【要約】【課題】  管継手に保護キャップを装着したままの状態で耐圧試験を行なえるようにする。【解決手段】  流体が通過する流路３が形成され、流路３の端部には配管Ｃを接続するための接続部１が形成された管継手Ａと、この管継手Ａの接続部２に装着され、接続部２を覆う保護キャップＢと、保護キャップＢが嵌合されている管継手Ａが保持される第１結合部２２が形成された保持具２０と、保持具２０に固定され、保護キャップＢを覆う被覆部３１が形成されたアダプタ３０とを備え、保護キャップＢには管継手Ａの流路３と連通する通水孔１５が穿設され、保持具２０に保持された状態でアダプタ３０の被覆部３１と結合され、管継手Ａの接続部２に装着された状態で耐圧試験を行なえるようにした。【選択図】  図４
2005265585.tif 000002
【特許請求の範囲】
【請求項１】
流体が通過する流路が形成され、流路の端部には配管を接続するための接続部が形成された管継手と、この管継手の接続部に装着され、接続部を覆う保護キャップと、保護キャップが嵌合されている管継手が保持される第１結合部が形成された保持具と、保持具に固定され、保護キャップを覆う被覆部が形成されたアダプタとを備え、保護キャップには管継手の流路と連通する通水孔が穿設され、保持具に保持された状態でアダプタの被覆部と結合され、管継手の接続部に装着された状態で耐圧試験を行なえるようにしたことを特徴とする管継手の耐圧試験装置。
【請求項２】
前記保持具は管継手が保持される第１結合部が形成され、この第１結合部には管継手と保護キャップとを挟着するレール部が形成されていることを特徴とする請求項１記載の管継手の耐圧試験装置。
【発明の詳細な説明】
【技術分野】
【０００１】
この発明は、建築現場で配管工事を行なう場合に、配管からの漏水の有無を確認する為に実施する耐圧試験で使用される、管継手の耐圧試験装置に関するものである。
【背景技術】
【０００２】
建築現場等での各配管の接続に使用される管継手は、水，湯又は混合水等の流体が通過する流路が内部に形成され、その端部には配管を接続するための接続部が形成されているが、管継手が建設現場等で使用される前の保管時、または輸送中における接続部の保護と、接続部の開口孔から流路への異物の侵入を防止するために、接続部の端部には合成樹脂製の保護キャップを装着することが行なわれている。保護キャップはその弾性力を利用し、接続部に対してワンタッチで嵌合して装着され、その形状は接続部の外周面を覆う円筒部と、開口孔を塞ぐ蓋部とを備えている。従って、管継手の接続部は保護キャップの円筒部に覆われるため、接続部に傷が付くことがなく、しかも開口孔から流路への異物の侵入を防止することができるものである。
【０００３】
ところで、建築現場で配管工事の後には、接続不良等により発生する漏水の有無を確認するため、配管及び管継手内に高圧の圧縮空気または加圧水を供給する耐圧試験が義務付けられている。そして、通常耐圧試験を行なうには管継手の接続部にプラグを装着して流体が通過する流路を密閉する必要があるが、通常の保護キャップは管継手に容易に装着したり取り外し可能であることが要求されるため、単に管継手の接続部を覆う程度のもので、耐圧試験を行なう際に装着されていると、高圧が加わることで管継手から外れてしまう。そこで、耐圧試験を行なう場合のみ、いったん保護キャップを管継手から取り外し、新たに耐圧試験用のプラグを装着する必要があり、手間のかかるものであった。しかも、耐圧試験の終了後に、いったん取り外した保護キャップを再度管継手に装着しようとすると、耐圧試験を行なっている間に管継手から外した保護キャップを紛失してしまったり、置き場所を忘れてしまい、探さなければならないことがあり、不便なものであった。
【０００４】
このような不具合を解消したものとして特許文献１があり、この特許文献１では、保護キャップを保護具本体と、この保護具本体に内嵌される内栓とにより構成し、通常は保護具本体に対し内栓を嵌着することで、管継手内部への異物の侵入を防止し、耐圧試験を行なう場合は保護具本体から内栓を取り外すことができるようにしている。
【０００５】
【特許文献１】特開２００１−１９９４７０号公報
【発明の開示】
【発明が解決しようとする課題】
【０００６】
ところが、このような保護キャップでは、耐圧試験の際には通水が可能となるように保護具本体から内栓を取り外すため、耐圧試験の終了後に再度保護具本体に対し内栓を装着しようとすると、耐圧試験の間に保護具本体から外した保護キャップを紛失してしまったり、置き場所を忘れてしまい、探さなければならないという問題を抱えていた。
【０００７】
この発明は、このような従来の技術に存在する問題点に着目してなされたものであり、その課題は、管継手に保護キャップを装着したままの状態で耐圧試験を行なえるようにすることである。
【課題を解決するための手段】
【０００８】
上記課題を達成するため、請求項１に記載の発明による管継手の耐圧試験装置は、流体が通過する流路が形成され、流路の端部には配管を接続するための接続部が形成された管継手と、この管継手の接続部に装着され、接続部を覆う保護キャップと、保護キャップが嵌合されている管継手が保持される第１結合部が形成された保持具と、保持具に固定され、保護キャップを覆う被覆部が形成されたアダプタとを備え、保護キャップには管継手の流路と連通する通水孔が穿設され、保持具に保持された状態でアダプタの被覆部と結合され、管継手の接続部に装着された状態で耐圧試験を行なえるようにしたである。
【０００９】
請求項２では請求項１記載の発明による管継手の耐圧試験装置において、前記保持具は管継手が保持される第１結合部が形成され、この第１結合部には管継手と保護キャップとを挟着するレール部が形成されているものである。
【発明の効果】
【００１０】
本発明の請求項１によると、管継手に装着された保護キャップは耐圧試験時にアダプタが保持具を介して結合されるので、保護キャップに対し高圧が加わっても外れることがなく、保持具に保護キャップを装着した状態のままで耐圧試験を行なうことができ、管継手から外すことにより発生する保護キャップの紛失を防止し、安心して耐圧試験を行なうことができる。
【００１１】
請求項２では、保護キャップは管継手に装着された状態のままで保持具に対し確実に保持され、保護キャップに対するアダプタの嵌合を容易に行うことができる。
【発明を実施するための最良の形態】
【００１２】
以下、本発明の実施例を図に基づいて詳細に説明する。
【実施例１】
【００１３】
図１乃至図３に示すように、管継手Ａは両端に接続部１，２が形成され、内部には流体が通過する流路３が貫通して形成されており、両端の接続部１，２に対し、水，湯，混合水等の流体を供給するための配管Ｃが接続されるものである。本発明は管継手Ａの一端の接続部２に保護キャップＢが装着されるものであり、保護キャップＢは略円筒状の本体部１１と、この本体部１１の一端に形成され、本体部１１より大径としたフランジ部１２とを備え、本体部１及びフランジ部１２の内部軸方向には、管継手Ａの接続部２、及び接続部２と隣接した鍔部４に嵌合する開口孔１３が形成されている。
【００１４】
前記保護キャップＢの形状は、管継手Ａの接続部２及び鍔部４の全体を覆い隠すことのできる略円筒状であり、図３に示すように接続部２に装着されると、開口孔１３の内周面は接続部２の外周面に装着されている複数個のシール部材５，５に水密的に密着して、管継手Ａの流路３を通過する流体は、接続部２外周面と保護キャップＢの開口孔１３との間から外部へ漏水することがないようにしている。
【００１５】
保護キャップＢのフランジ部１２は略円盤状で、管継手Ａの外周面に接続部２と隣接して形成された鍔部４より大径に形成され、保護キャップＢを接続部２に装着すると、鍔部４に嵌合するものである。
【００１６】
保護キャップＢの本体部１１端面には略円形の蓋部１４が一体に形成されており、この蓋部１４の中心には、管継手Ａの流路３を通過する流体の通過を許容する通水孔１５が穿設されている。この通水孔１５は、管継手Ａの流路３を通過する流体が通水可能なように穿設されているが、管継手Ａの保管時、建設現場への輸送時などに、流路３に対し外部から異物が侵入することがないようにするため比較的小径で、その孔径は例えば２ミリ、または２ミリより小径に穿設されている。なお、本実施例では通水孔は蓋部の中心に１つのみ穿設されているが、その個数、位置は特に限定されるものではない。また、通水孔は丸孔としているが、その形状は特に丸孔に限定されるものではなく、例えば＋字状や−字状であってもよい。
【００１７】
図２及び図３は保護キャップＢが管継手Ａに装着された状態であり、管継手Ａの保管時、または輸送時等に、保護キャップＢを管継手Ａの接続部２に装着すると、接続部２に装着されているシール部材５，５は保護キャップＢの本体部１１で覆われるため外部に露出せず、シール部材５，５に異物が付着することはない。しかも、管継手Ａの流路３は保護キャップＢの蓋部１４と互いに向かい合い、この蓋部１４で流路３は塞がれており、蓋部１４を通過して流路３に異物が侵入することはない。なお、蓋部には通水孔が穿設されているが、この通水孔は小径であるため、通水孔より大径の異物が通水孔から管継手の流路に侵入することはない。
【００１８】
図４乃至図９は、管継手Ａに対し保護キャップＢを装着した状態のままで、耐圧試験を行なう場合の説明図であり、耐圧試験は保持具２０に対し管継手Ａとアダプタ３０とを装着した状態で行なうものである。
【００１９】
前記保持具２０は断面略コ字型で薄板状の合成樹脂材又は金属材からなり、薄板状で略正方形状の基部２１と、この基部２１の一辺から略直角に折曲された第１結合部２２と、基部２１の他方の一辺から略直角方向に折曲され、第１結合部２２と同一方向に突設した第２結合部２５とから形成されている。
【００２０】
前記第１結合部２２には略Ｕ字形の第１固定孔２３が穿設され、この第１固定孔２３の両側の側片にはレール部２４がそれぞれ形成されている。互いのレール部２４は下板２４ａと上板２４ｂと横板２４ｃとからなる断面略コ字型で、両レール部２４，２４の間隔は保護キャップＢのフランジ部１２の外径と略同一であり、各板２４ａ，２４ｂ，２４ｃの間にレール溝２４ｄが形成され、このレール溝２４ｄの上下の間隔は、保護キャップＢのフランジ部１２の上下寸法と略同一である。また、前記第１固定孔２３の横幅は管継手Ａの鍔部４の外径より短く、保護キャップＢを管継手Ａに装着した状態で、第１結合部２２と第２結合部２５との間に保護キャップＢを介在させ、レール溝２４ｄに保護キャップＢのフランジ部１２を嵌合し、かつ第１固定孔２３の周縁に管継手Ａの鍔部４を着座して、保護キャップＢ及び管継手Ａを第１結合部２２に支持させることができるものである。そして、第１結合部２２のレール溝２４ｄに管継手Ａの鍔部４と保護キャップＢのフランジ部１２とを挟着した状態で、管継手Ａと保護キャップＢとをレール溝２４ｄに沿って水平方向にスライドさせることができる。
【００２１】
前記第２結合部２５は第１結合部２２に対し互いに向かい合うように形成され、中央からやや偏心した位置には第２固定孔２６が穿設されており、この第２固定孔２６の形状は略長方形である。この第２結合部２５は前記アダプタ３０を支持するためのものである。
【００２２】
前記アダプタ３０は、保護キャップＢの本体部１１全体を覆い隠す被覆部３１と、この被覆部３１と一体に結合され、別に設けたコック３３が装着される軸部３２とを備えている。
【００２３】
前記被覆部３１は略円筒状で、図５に示すように底面には下部開口部３４が、上面にはこの下部開口部３４より小径の上部開口部３５が形成され、互いの開口部３４，３５は内部で連通している。下部開口部３４の内径は保護キャップＢの本体部１１の外径と略同一であり、内周面には環状溝３６が形成され、この環状溝３６にシール部材３７が装着されている。下部開口部３４は保護キャップＢの本体部１１に対し隙間なく水密的に嵌合するものであり、上部開口部３５には前記軸部３２が一体に結合され、この軸部３２は内部軸心方向に通路３８が貫通しており、外周面にはストッパー部３９が形成されている。このストッパー部３９は、前記保持具２０の第２結合部２５に穿設された第２固定孔２６と略同一形状で、一対の直線部３９ａ，３９ａと両直線部３９ａ，３９ａを繋ぐ一対の湾曲部３９ｂ，３９ｂとからなり、第２固定孔２６を上下に挿通させることができる。そして、第２固定孔２６とストッパー部３９とは何れも略長方形であるため、ストッパー部３９が第２固定孔２６より下部に位置している状態から回転させると、ストッパー部３９の上面の一部は第２固定孔２６の周縁に当接し、この状態ではアダプタ３０は第２結合部２５から浮き上がることがないものである。
【００２４】
前記コック３３は、管継手Ａ及び配管Ｃの耐圧試験を行なう場合に、管継手Ａ及び管継手Ａに接続された配管Ｃの内部に存在しているエアを外部へ抜くことで、耐圧試験を円滑に行なうためのもので、軸部３２の通路３８に対し螺着されるものであり、内部には断面略Ｔ字型の空気孔４０が形成されており、この空気孔４０はアダプタ３０の通路３８と連通自在である。コック３３の下部外周面にはパッキン４１が装着されており、コック３３を通路３８の奥まで螺着した状態では、パッキン４１は通路３８の内周面に着座しているため通路３８内のエアを外部へ抜き出すことはできず、コック３３を緩む方向に操作すると、パッキン４１は通路３８の内周面から離れ、管継手Ａ及び配管Ｃ内部のエアを外部へ抜き出すことができ、耐圧試験を円滑に行なえるものである。
【００２５】
次に、建築現場で管継手Ａと配管Ｃとを接続した後に耐圧試験を行なう手順を説明する。管継手Ａは出荷前の保管時、または施工現場への輸送中に、シール部材５，５に異物が付着したり、流路３に異物が侵入し、この異物が原因で漏水が発生する恐れがあるため、シール部材５，５及び流路３を覆い隠すように、接続部２に保護キャップＢを装着しておく。そして、接続部２に保護キャップＢが装着された状態で保管または輸送される。
【００２６】
建築現場で管継手Ａと配管Ｃとを接続し、その接続状態が正常であるかを確認するための耐圧試験を行なう場合には、管継手Ａに保護キャップＢを装着した状態のままで、保護キャップＢに対しアダプタ３０を結合させる必要がある。この場合、アダプタ３０を保持具２０に支持した状態で、保護キャップＢのフランジ部１２を保持具２０の第１係合部２２へ係合する。即ち図７に示すように、保護キャップＢはフランジ部１２を保持具２０の第１係合部２２に形成されているレール溝２４ｄに嵌合させておく。また、アダプタ３０はストッパー部３９を保持具２０の第２固定孔２６より上部に浮き上がらせておく。次に、保護キャップＢの本体部１１とアダプタ３０の被覆部３１とを互いに向かい合わせる。そして、アダプタ３０のストッパー部３９を第２固定孔２６に挿通すると、被服部３１は保護キャップＢと近づく方向に移動し、ストッパー部３９の上面と第２固定孔２６の周縁が向かい合うように回転させれば、図８及び図９に示すように保護キャップＢとアダプタ３０とは結合される。この状態ではアダプタ３０は保護キャップＢに結合しており、保護キャップＢと管継手Ａとは第１結合部２２のレール部２４に嵌合しているために上下に移動することがなく、保護キャップＢは第２結合部２５から上部に浮き上がることがなく、管継手Ａに対しエアまたは水を供給し、漏水の有無を確認することができる。
【００２７】
耐圧試験を終了した後は、アダプタ３０のストッパー部３９と保持具２０の第２固定孔２６とが互いに向かい合うように回転させ、アダプタ３０を上方に引き上げればストッパー部３９は第２固定孔２６を挿通するため、保護キャップＢとアダプタ３０との結合状態は解除され、保護キャップＢから保持具２０及びアダプタ３０が分離される。
【００２８】
このように本発明によれば、保護キャップを管継手に装着したままの状態で耐圧試験を行なうことができ、耐圧試験時に保護キャップを紛失することがないものである。
【図面の簡単な説明】
【００２９】
【図１】本発明の管継手の耐圧試験装置における管継手と保護キャップとの斜視図である。
【図２】図１において、保護キャップを管継手に装着した状態の斜視図である。
【図３】保護キャップを管継手に装着した状態の縦断面図である。
【図４】管継手と保護キャップと保持具とアダプタとの斜視図である。
【図５】アダプタの縦断面図である。
【図６】管継手を保持具に支持する場合の説明図である。
【図７】管継手及びアダプタが保持具に支持された状態の説明図である。
【図８】管継手及びアダプタが保持具に支持された状態で、保護キャップとアダプタとが結合された状態の説明図である。
【図９】保護キャップとアダプタとが結合された状態の縦断面図である。
【符号の説明】
【００３０】
１，２    ：接続部
３        ：流路
１５      ：通水孔
２０      ：保持具
２２      ：第１結合部
２４      ：レール部
３０      ：アダプタ
３１      ：被覆部
Ａ        ：管継手
Ｂ        ：保護キャップ
Ｃ        ：配管
【図１】
2005265585.tif 000003
【図２】
2005265585.tif 000004
【図３】
2005265585.tif 000005
【図４】
2005265585.tif 000006
【図５】
2005265585.tif 000007
【図６】
2005265585.tif 000008
【図７】
2005265585.tif 000009
【図８】
2005265585.tif 000010
【図９】
2005265585.tif 000011